(57)【要約】【課題】点滴スタンド等のキャスターのタイヤがエレベーターの扉溝に落下するのを防止し、安全な歩行を提供し、かつ床上を走行するキャスターに絡む糸くずや細塵類の絡みを防止し、円滑な回転を提供するキャスターを課題とする。【解決手段】タイヤが接地する位置の近傍にタイヤの幅より外側に出張る出張り部を有するホイルカバーをタイヤのホイル左右両側に設け、その出っ張り部は扇形でタイヤの回転軸に対して設地位置から前後１０度以上であり、出っ張り部とホイルカバーは一体成形である。またホイルカバーに保持ヨークが入る溝部を設けて組み立てられているため両側のホイルカバーはタイヤが回転しても固定されたままである。又出張り部の内側にタイヤ側面と微細な隙間を設けてリブを設け、左右両側の出張り部をタイヤと微細な隙間を持って連結する連結部を接地部から離れた位置に設けることによって、キャスターに絡む糸くずや細塵類の絡みを防止し、長期間円滑な回転の出来るキャスターを提供することが出来る。【選択図】図２
2013116720.tif 000002
【特許請求の範囲】
【請求項１】
取り付け部に対して水平旋回自在に回動する保持ヨークを有するキャスターであって、タイヤが接地する位置の近傍にタイヤの幅より外側に出張る出張り部を有するホイルカバーをタイヤのホイル左右両側に設けたことを特徴とするキャスター。
【請求項２】
前記出張り部は扇型でタイヤの回転軸に対して設地位置から前後１０度以上であることを特徴とする請求項１に記載のキャスター
【請求項３】
前記出張り部と前記ホイルカバーは一体成形であることを特徴とする請求項１又は請求項２に記載のキャスター
【請求項４】
前記ホイルカバーに前記保持ヨークが入る溝部を設けたことを特徴とする請求項１、請求項２又は請求項３の記載されたキャスター
【請求項５】
前記出張り部の内側にリブを設けたことを特徴とする請求項１、請求項２、請求項３、又は請求項４に記載のキャスター
【請求項６】
左右両側の前記出張り部をタイヤと微細な隙間を持って連結する連結部を設地部から離れた位置に設けたことを特徴とする請求項１、請求項２、請求項３、請求項４又は請求項５に記載のキャスター
【発明の詳細な説明】
【技術分野】
【０００１】本発明は点滴スタンド等の移動用キャスターが床上を滑らかに移動し、かつエレベーターの扉溝に落下せず、十分な幅をもち、かつ走行時に車輪の回転を損なう細埃類を車軸に絡むのを防止するホイルカバーを設置した移動用キャスター構造に関するものである。
【背景技術】
【０００２】点滴スタンド用キャスターは移動に滑らかに回転し、歩行を妨げることはないが、病院内のエレベーターの扉溝を移行する際、扉溝にキャスターが落下して移動を妨げる問題があった。それを防止したキャスターの先行技術文献（特許文献１）もある。しかしながら前文献のキャスターは車輪と保持ヨークの間及び車軸の隙間に糸くずや細埃類が絡みつき易い構造であり、長期の滑らかな走行が出来ない場合が生じる。又双輪キャスターの場合、キャスターのタイヤ幅はエレベーター扉溝に対して大きく、落下等の問題はないが、旋回性や直進走行性に対しては十分とは言えず、かつ走行音や床面のごみや糸くずの絡みに対して不具合点があった。今回提供する点滴スタンド用キャスターは走行性に対して床上のごみ等を巻き込まず、かつエレベーターの扉溝に落下しない点滴スタンド用キャスターである。
【先行技術文献】
【特許文献】
【０００３】
【特許文献１】特許第３６５４６４０号  公報
【発明の概要】
【発明が解決しようとする課題】
【０００４】本発明は以上の点を踏まえ、点滴スタンドのキャスターの車輪がエレベーターの扉溝に落下するのを防止し、安全な歩行を提供し、かつ床上を走行するキャスターに絡む糸くずや細塵類の絡みを防止し、円滑な回転を提供する点滴用キャスターを課題とする。
【課題を解決するための手段】
【０００５】前記課題を解決するための手段として移動用キャスターを点滴スタンド等の基部ベース部の取り付け部に対して水平旋回自在に回動する保持ヨークを有するキャスターであって、タイヤが接地する位置の近傍にタイヤの幅より外側に出張る出張り部を有するホイルカバーをタイヤのホイル左右両側に設け、その出っ張り部は略扇形でタイヤの回転軸に対して接地位置から前後１０度以上であり、出っ張り部とホイルカバーは一体成形である。またホイルカバーに保持ヨークが入る溝部を設けて組み立てられているため両側のホイルカバーはタイヤが回転しても固定されたままである。又出張り部の内側にタイヤ側面と微細な隙間を設けてリブを設け、左右両側の出張り部をタイヤの接地面と微細な隙間を持って連結する連結部を接地部から離れた位置に設けることによって、キャスターに絡む糸くずや細塵類の絡みを防止し、長期間円滑な回転の出来るキャスターを提供することが出来る。
【発明の効果】
【０００６】本発明によれば、点滴スタンドのキャスターがエレベーターの扉溝に落下するのを防ぎ、点滴スタンドの転倒を防止でき、安全に点滴歩行が出来る。又キャスターのホイルカバー、及びホイルカバーに設けた出っ張り部の内側に設けた縦リブ、連結部の構造により、キャスターのタイヤに付着した糸くずや細塵類の絡みを防止することが出来きて、いつまでも円滑な走行をする点滴用のキャスターを使用することが出来る。又点滴スタンド用以外の産業用移動カート等のキャスターにも活用できる。
【図面の簡単な説明】
【０００７】
【図１】点滴スタンド斜視図
【図２】移動用キャスター側面図及び側面斜視図
【図３】車輪部側面図、及び断面図
【図４】移動用キャスター側面図及びＢＢ断面図、エレベーター扉溝断面図
【図５】ホイルカバー及び出っ張り部正面及び裏面斜視図
【発明を実施するための形態】
【０００８】床上を移動可能な、図１のような点滴スタンド１、その他移動カート等は病院内の上下階の移動に伴ってエレベーターの出入りが多く、その際に図４のエレベーター扉溝１５にキャスター４のタイヤ７が落下して安全な出入りができない場合がある。エレベーターの扉溝幅は輸送用以外略３０ｍｍでそれ以上の幅のタイヤを持つキャスターであれば落下して動けなくなるという問題はない。今回はやや小型（Φ６５〜Φ１００）の単輪タイヤ（タイヤ幅略１５ｍｍ〜２８ｍｍ）のキャスター４を対象とした実施例である。図１に示すように点滴スタンド１、移動カート等の基部ベース部２の角底面に図２に示すキャスター４を取り付ける。図２に示すキャスター４は取り付け部３に対して水平旋回自在に回動する保持ヨーク５を備え、その先端部に回転軸１３を設ける。回転軸１３にホイルカバー９を両側に設けた車輪１８（図３）を保持ヨーク５で挟み込み締結用ナット１４で締結した構成である。
【０００９】車輪部は図３のように樹脂等で成形したホイル８、その外輪部をゴム等で一体成形したタイヤ７、図４の断面図に示すようにホイル中心部にベアリング６、図５に示す左右両側の出っ張り部１０を持つホイルカバー９、図２に示す連結部１２で構成されている。ホイル中心部にベアリング６を押圧挿入し、左右両側のホイルカバー９の内側中心部がベアリング６の内輪に押接されて保持ヨーク５に挟まれて回転軸１３（ボルト）を通して反対側からナット１４で押圧されている。またホイルカバー９と一体成型されている出っ張り部１０はタイヤ側面と隙間を持って設置され、タイヤ側の内側は図５に示されているように中空で複数の縦リブ１１がタイヤ側面と微細な隙間を設けている。タイヤ７とホイル８はベアリング６の外輪に押接され左右両面のホイルカバー９はベアリング６の内輪と外輪の転動体により回転分離されている。左右両側のホイルカバー９はタイヤ７が接地する位置の近傍（地面から略６ｍｍ）にタイヤの幅より約１０ｍｍ近く外側に出っ張る出っ張り部１０を有する。
【００１０】又図４より出っ張り部１０は略扇形で車輪部の回転軸１３に対してタイヤ接地位置から前後１０度以上であり、図５より出っ張り部１０とホイルカバー９は一体成型樹脂でできており、ホイルカバー９に保持ヨーク５が入る部分は凹部の保持ヨーク用溝部１６を設けていてタイヤ７の回転に対して固定できる構造である。又図５のように出っ張り部１０と保持ヨーク５が入る凹部はＸ−Ｘ線に対して対称位置にある。これにより左右両側のホイルカバー９は対称形となる。左右の出っ張り部１０を連結する連結部１２は図２、図４に示すように出っ張り部の接地側から反対の位置に設けた連結部取り付け穴１７にタイヤ接地面と微細な隙間をもって設置する。
【００１１】以上よりタイヤ７の地面に接地する近傍の出っ張り部１０の幅は、タイヤ幅（略１５ｍｍ）より両側で略２０ｍｍ大きくなりエレベーターの扉溝幅より大きくなって、落下する事はなくなる。また左右両側の出っ張り部１０の内側にはタイヤ側面と微細な隙間を設けて複数の縦リブ１１が設けられ、車輪部のごみや糸くずの付着を防止する。更に図４のように出っ張り部１０の左右両側にタイヤ接地面と微細な隙間を持って連結する連結部１２を接地部から反対側部に設ける。これらによって回転するタイヤ７に付着した微細なごみ類、糸屑、髪の毛等が回転軸に絡むことなく、キャスター４はいつまでも円滑に回転しスムーズな移動を提供してくれる。
【産業上の利用可能性】
【００１２】本発明は医療の移動型点滴スタンドのキャスターの構造の一案であるが、病院内での点滴スタンドの安全なエレベーターへの出入り及び車輪カバー、及び車輪カバーに設けた出っ張り部の構造により、車輪に付着した糸くずや細塵類の絡みを防止することが出来きていつまでも円滑な走行をする点滴キャスターを使用することが出来る。又点滴スタンド用以外の産業用移動用カート等のキャスターにも活用できる。
【符号の説明】
【００１３】符号の説明
１点滴スタンド
２基部ベース部
３取り付け部
４キャスター
５保持ヨーク
６ベアリング
７タイヤ
８ホイル
９ホイルカバー
１０出っ張り部
１１リブ
１２連結部
１３回転軸
１４締結用ナット
１５エレベーター扉溝
１６保持ヨーク用溝部
１７連結部取り付け穴
１８車輪
【図１】
2013116720.tif 000003
【図２】
2013116720.tif 000004
【図３】
2013116720.tif 000005
【図４】
2013116720.tif 000006
【図５】
2013116720.tif 000007